(57)【要約】【課題】一部を引き出して開いた状態にある引出箱体に対し上方から押し下げる方向への荷重がかかったときに、引出箱体の周辺構成が破損するのを防止する。【解決手段】ボックス本体（23）を含む第１収納構造部（3）と、第１収納構造部（3）の下方に配置された、水平方向へのスライド動作により引き出し及び押し入れ可能な引出箱体（47）を含む第２収納構造部（5）と、第１収納構造部（3）及び第２収納構造部（5）を支持するフレーム構造体（7）とを備え、フレーム構造体（7）に、引出箱体（47）の一部を引き出した状態で、第１収納構造部（3）と引出箱体（47）との間に位置する金属製の仕切板（125）が固定されている。【選択図】図２
2018016275.tif 000002
【特許請求の範囲】
【請求項１】
上方に開口したボックス本体（23）を有する第１収納構造部（3）と、
前記第１収納構造部（3）の下方に配置された、水平方向へのスライド動作により引き出し及び押し入れ可能な引出箱体（47）を有する第２収納構造部（5）と、
前記第１収納構造部（3）及び前記第２収納構造部（5）を支持するフレーム構造体（7）と、を備えるコンソールボックスであって、
前記フレーム構造体（7）には、前記引出箱体（47）の一部を引き出した状態で、前記第１収納構造部（3）と前記引出箱体（47）との間に位置する仕切板（125）が固定されている
ことを特徴とするコンソールボックス。
【請求項２】
請求項１に記載されたコンソールボックスにおいて、
前記第１収納構造部（3）は、前記引出箱体（47）の引き出し動作を所定の位置で規制する引出規制部（63）を備え、
前記仕切板（125）のうち前記引出規制部（63）によって前記引出箱体（47）の引き出し動作が規制される位置で前記引出箱体（47）の引き出し方向における奥側の端部が対応する部分には、前記引出箱体（47）のスライド方向と交差する方向に延びる段差部（127）が設けられている
ことを特徴とするコンソールボックス。
【請求項３】
請求項２に記載されたコンソールボックスにおいて、
前記仕切板（125）のうち前記引出規制部（63）によって前記引出箱体（47）の引き出し動作が規制される位置で前記引出箱体（47）の引き出し方向における奥側の端部が対応する部分には、前記引出箱体（47）のスライド方向に沿って延びる凸状部（129）が設けられている
ことを特徴とするコンソールボックス。
【請求項４】
請求項１〜３のいずれか１項に記載されたコンソールボックスにおいて、
前記引出箱体（47）の引き出し方向における奥側の裏面には、当該引出箱体（47）のスライド方向に沿って延びる凸状部（99）が設けられている
ことを特徴とするコンソールボックス。
【請求項５】
請求項１〜４のいずれか１項に記載されたコンソールボックスにおいて、
第１収納構造部（3）は、前記引出箱体（47）をスライド自在に収容する収容体（45）を備え、
前記引出箱体（47）には、前記収容体（45）の内部で下方に臨む面に当接し、当該引出箱体（47）のスライド動作に伴って転動するコロ（97）が設けられ、
前記収容体（45）の前記仕切板（125）に対応する部分には、前記コロ（97）の転動箇所に対応する部分よりも前記仕切板（125）側に突出した部分（59）が設けられている
ことを特徴とするコンソールボックス。
【請求項６】
請求項１〜５のいずれか１項に記載されたコンソールボックスにおいて、
前記フレーム構造体（7）は、前記引出箱体（47）のスライド方向に沿う第１の方向に間隔をあけて配置された複数の縦フレーム部材（17,19,21）を有し、
前記ボックス本体（23）は、隣り合う前記縦フレーム部材（19,21）の間に嵌め込まれており、前記第１の方向に直交する第２の方向における側面部（34）の開口側の部分に、当該隣り合う縦フレーム部材（19,21）の間を前記第１の方向に延びる凸状部（35）を有している
ことを特徴とするコンソールボックス。
【発明の詳細な説明】
【技術分野】
【０００１】
本発明は、自動車の室内に設置されるコンソールボックスに関する。
【背景技術】
【０００２】
従来から、上方に開口したボックス本体を含む第１収納構造部の他に、ボックス本体の下方に配置される引出箱体を含む第２収納構造部を備え、引出箱体が水平方向に引き出し可能に設けられた二段式のコンソールボックスが知られている。この種のコンソールボックスは、例えば特許文献１に開示されている。
【０００３】
特許文献１のコンソールボックスでは、引出箱体（第３収納箱）が、ロア部材に収容されており、ロア部材に設けられたガイド突条に摺動自在なガイドレールを左右両側に有している。ボックス本体（第１収納箱）は、その引出箱体の引き出し方向における奥側の上部に位置する。さらに、このコンソールボックスでは、ボックス本体の前方で引出箱体の引き出し方向における手前側の上部に設けられたアッパ部材（第４収納箱）がカップホルダを構成し、ボックス本体の開口前端に揺動自在に取り付けられた蓋体が前方に揺動することによりアッパ部材（カップホルダ）に支持される収容箱（第２収納箱）を構成するようになっている。
【先行技術文献】
【特許文献】
【０００４】
【特許文献１】特開２００７−３０７９６１号公報
【発明の概要】
【発明が解決しようとする課題】
【０００５】
しかし、特許文献１のようなコンソールボックスでは、引出箱体の一部を引き出して開いた状態で、乗員がその引出箱体の引き出した部分に手を突いたりその引き出した部分を踏んだりして、引出箱体の引き出し方向における手前側の部分に上方から押し下げる方向への過大な荷重がかかると、ロア部材のうち引出箱体を出し入れする開口部の下縁部分を支点として引出箱体が回転し、引出箱体の引き出し方向における奥側の端部が上方に向かって変位する。
【０００６】
そうなると、引出箱体の上方に変位した奥側の端部がアッパ部材などの第１収納構造部に当たって引出箱体そのものが破損するおそれのある他、第１収納構造部や上記ガイド突条といったガイド機構などの周辺構成までもが引出箱体の変位によって強く押し上げられて破損してしまうおそれがある。引出箱体だけの破損であれば、引出箱体のみを交換すれば済むが、引出箱体の周辺構成もが破損した場合には、コンソールボックスを丸ごと交換することが必要となるため、修理費用が嵩んでしまう。
【０００７】
本発明は、斯かる点に鑑みてなされたものであり、その目的とするところは、一部を引き出して開いた状態にある引出箱体に対し上方から押し下げる方向への荷重がかかったときに、引出箱体の周辺構成が破損するのを防止することにある。
【課題を解決するための手段】
【０００８】
上記の目的を達成するために、本発明では、引出箱体の一部が引き出された状態で、引出箱体の引き出し方向における奥側の端部が上方に向かって変位するのを規制する手段を設けるようにした。
【０００９】
具体的には、本発明は、上方に開口したボックス本体を有する第１収納構造部と、この第１収納構造部の下方に配置された、水平方向へのスライド動作により引き出し及び押し入れ可能な引出箱体を有する第２収納構造部と、これら第１収納構造部及び第２収納構造部を支持するフレーム構造体とを備えるコンソールボックスを対象とし、以下の解決手段を講じたものである。
【００１０】
すなわち、第１の発明は、フレーム構造体に対し、引出箱体の一部を引き出した状態で、第１収納構造部と引出箱体との間に位置する仕切板が固定されていることを特徴とする。
【００１１】
第２の発明は、第１の発明のコンソールボックスにおいて、第１収納構造部が、引出箱体の引き出し動作を所定の位置で規制する引出規制部を備える構成とされている。そして、第２の発明は、仕切板のうち引出規制部によって引出箱体の引き出し動作が規制される位置で引出箱体の引き出し方向における奥側の端部が対応する部分には、引出箱体のスライド方向と交差する方向に延びる段差部が設けられていることを特徴とする。
【００１２】
第３の発明は、第２の発明のコンソールボックスにおいて、仕切板のうち引出規制部によって引出箱体の引き出し動作が規制される位置で引出箱体の引き出し方向における奥側の端部が対応する部分には、引出箱体のスライド方向に沿って延びる凸状部が設けられていることを特徴とする。
【００１３】
第４の発明は、第１〜第３の発明のいずれか１つのコンソールボックスにおいて、引出箱体の引き出し方向における奥側の裏面には、当該引出箱体のスライド方向に沿って延びる凸状部が設けられていることを特徴とする。
【００１４】
第５の発明は、第１〜第４の発明のいずれか１つのコンソールボックスにおいて、第１収納構造部が、引出箱体をスライド自在に収容する収容体を備える構成とされている。引出箱体には、収容体の内部で下方に臨む面に当接し、当該引出箱体のスライド動作に伴って転動するコロが設けられている。そして、第５の発明は、収容体の仕切板に対応する部分に、コロの転動箇所に対応する部分よりも仕切板側に突出した部分が設けられていることを特徴とする。
【００１５】
第６の発明は、第１〜第５の発明のいずれか１つのコンソールボックスにおいて、フレーム構造体が、引出箱体のスライド方向に沿う第１の方向に間隔をあけて配置された複数の縦フレーム部材を有する構成とされている。そして、第６の発明は、ボックス本体が、隣り合う縦フレーム部材の間に嵌め込まれており、上記第１の方向に直交する第２の方向における側面部の開口側の部分に、当該隣り合う縦フレーム部材の間を上記第１の方向に延びる凸状部を有していることを特徴とする。
【発明の効果】
【００１６】
第１の発明によれば、仕切板をフレーム構造体に固定し、この仕切板によって引出箱体の一部を引き出した状態で第１収納構造部と引出箱体とを仕切るようにしたので、引出箱体の一部が引き出されて開いた状態で、乗員のイレギュラーな扱いによりその引出箱体の引き出した部分に対し上方から押し下げる方向への荷重がかかったとしても、引出箱体の奥側の端部が上方に向かって変位するのを仕切板が当接することで規制する。それによって、引出箱体の奥側の端部が第１収納構造部を含め周辺構成を強く押し上げるような挙動を採ることをなくし、引出箱体の周辺構成が破損するのを防止できる。
【００１７】
第２の発明によれば、引出箱体の引き出し動作を所定の位置で規制する引出規制部を設けるようにしたので、引出箱体がコンソールボックスから完全に抜け出てしまうのを防止できる。それによって、引出箱体を引き出す場合に引出箱体が抜け出してしまう位置を気にしなくてよいので、引出箱体の引き出し操作を行い易くなり、コンソールボックスの使い勝手を良くすることができる。
【００１８】
さらに、第２の発明によれば、仕切板のうち引出箱体の引き出し動作が規制される位置で引出箱体の奥側の端部に対応する部分に、引出箱体のスライド方向と交差する方向に延びる段差部を設けるようにしたので、仕切板のうち引出箱体の奥側の端部が上方に向かって変位したときに当接する部分の剛性を高めることができる。そのことで、引出箱体の奥側の端部が上方に変位することを以て押し上げる方向への押圧力が作用したときに仕切板が変形するのを抑制できる。これにより、引出箱体の回転による変位が引出箱体の周辺構成に与える影響を低減することができ、その結果、引出箱体の周辺構成が破損するのをより確実に防止できる。
【００１９】
第３の発明によれば、仕切板のうち引出箱体の引き出し動作が規制される位置で引出箱体の奥側の端部に対応する部分に、引出箱体のスライド方向に沿って延びる凸状部を設けるようにしたので、仕切板のうち引出箱体の奥側の端部が上方に向かって変位したときに当接する部分の剛性をよりいっそう高めることができる。そのことで、引出箱体の奥側の端部が上方に変位することを以て押し上げる方向への押圧力が作用したときに仕切板が変形するのを抑制できる。これにより、引出箱体の回転による変位が引出箱体の周辺構成に与える影響を低減することができ、その結果、引出箱体の周辺構成が破損するのをより確実に防止できる。
【００２０】
第４の発明によれば、引出箱体の奥側の裏面に当該引出箱体のスライド方向に沿って延びる凸状部を設けるようにしたので、引出箱体の奥側の裏面を構成する部分の剛性が高められる。それにより、引出箱体の引き出した部分に上方から押し下げる方向への荷重がかかったときに引出箱体の奥側の裏面が引出箱体を出し入れするコンソールボックスの開口の下縁部分に押し付けられても、その押圧力に耐え得るようにでき、引出箱体が破損するのを防止できる。
【００２１】
第５の発明によれば、引出箱体を収容する収容体の内部で下方に臨む面に当接するコロを引出箱体に設け、当該引出箱体のスライド動作に伴って収容体内の下向きの面でコロを転動させるようにしたので、引出箱体をスライドさせるときに収容体との間に生じる摩擦抵抗を低くすることができ、収容体に対する引出箱体の引き出し動作や押し入れ動作をスムーズに行わせることが可能になる。
【００２２】
さらに、第５の発明によれば、収容体のうち仕切板に対応する部分に、コロの転動箇所に対応する部分よりも仕切板側に突出した部分を設け、収容体においてコロの転動箇所に対応する部分と仕切板との間の間隔を収容体のうち上記突出した部分と仕切板との間隔よりも広くするようにしたので、引出箱体の奥側の端部が上方に向かって変位したときに収容体を押し上げても、収容体は上記突出した部分でコロの転動箇所に対応する部分に先立って仕切板に当接する。それによって、コロが収容体を介して転動面に強く押し付けられるのを回避できるため、引出箱体の奥側の端部が上方に変位することを以てコロが破損するのを防止できる。
【００２３】
第６の発明によれば、フレーム構造体を構成する複数の縦フレーム部材のうち隣り合う縦フレーム部材の間にボックス本体を嵌め込む構成とし、且つボックス本体の側面部の開口側の部分に、隣り合う縦フレーム部材の間を延びる凸状部を設けるようにしたので、フレーム構造体をその凸状部により引出箱体のスライド方向において補強することができ、コンソールボックスを堅固な構造とすることができる。
【図面の簡単な説明】
【００２４】
【図１】実施形態に係るコンソールボックスの全体斜視図である。
【図２】実施形態に係るコンソールボックスの分解斜視図である。
【図３】実施形態に係るコンソールボックスのボックス本体の斜視図である。
【図４】図３のIV−IV線におけるボックス本体の断面図である。
【図５】実施形態に係るコンソールボックスの第２収納構造部の分解斜視図である。
【図６】図５のVI−VI線における引出箱体を収容した状態の断面図である。
【図７】実施形態に係るコンソールボックスの収容体に用いられるスペーサ部材の斜視図である。
【図８】実施形態に係る第２収納構造部を引出箱体の収容状態で下側から見た斜視図である。
【図９】実施形態に係る第２収納構造部を引出箱体の引き出し状態で下側から見た斜視図である。
【図１０】実施形態に係る引出箱体の前面パネル部の内部構造を示す斜視図である。
【図１１】実施形態に係るフレーム構造体及び第２収納構造部を引出箱体の引き出し状態で示す斜視図である。
【図１２】図１１のXIIで囲んだ部分を角度を変えて示す要部拡大図である。
【図１３】図１１のXIII−XIII線におけるコンソールボックスの要部の断面図である。
【発明を実施するための形態】
【００２５】
以下、例示的な実施形態を図面に基づいて詳細に説明する。なお、以下の実施形態では、説明の便宜上、コンソールボックスが自動車の車室内に設置された状態での方向を基準として、車両前後方向における前側を「前」、後側を「後」と称し、車両前方を向いて車幅方向における左側を「左」、右側を「右」と称し、車高方向における上側を「上」、下側を「下」と称する。
【００２６】
＜コンソールボックスの概略構成＞
図１に、この実施形態に係るコンソールボックス１の全体斜視図を示す。図２に、コンソールボックス１の分解斜視図を示す。図１に示すコンソールボックス１は、例えば、大型自動車の車室においてセパレートタイプの左右の後部座席の間に設置されるアームレストを兼ねた物入れである。
【００２７】
このコンソールボックス１は、図２に示すように、上部に設けられた第１収納構造部３と、第１収納構造部３の下方に配置された第２収納構造部５と、これら第１収納構造部３及び第２収納構造部５を支持するフレーム構造体７と、当該コンソールボックス１の外装を構成する複数の外装カバー部９とを備える。
【００２８】
＜フレーム構造体の構成＞
フレーム構造体７は、ベースフレーム部材１１と、複数の縦フレーム部材１３とを備える。ベースフレーム部材１１は、鉄などからなる金属製のラダー（梯子）型フレームであって、コンソールボックス１の底面部を構成している。このベースフレーム部材１１の前後における両側端部には、車体への取付け用にブラケット片１５が設けられている。複数の縦フレーム部材１３は、それぞれ鉄などからなる金属製のラダー（梯子）型フレームであって、前後方向（第１方向）に間隔をあけて配置されており、互いに対向している。
【００２９】
本実施形態の縦フレーム部材１３は、ベースフレーム部材１１の前端部寄りの部分に位置するフロントフレーム部材１７と、ベースフレーム部材１１の後端部寄りの部分に位置するリアフレーム部材１９と、これらフロントフレーム部材１７とリアフレーム部材１９との間に位置するミドルフレーム部材２１とである。これらフロントフレーム部材１７、リアフレーム部材１９及びミドルフレーム部材２１は、縦長で概ね矩形枠状の外枠部１７ａ，１９ａ，２１ａと、外枠部１７ａ，１９ａ，２１ａの上下方向における中程で左右方向に延びる中梁部１７ｂ，１９ｂ，２１ｂとによって構成されている。
【００３０】
外枠部１７ａ，１９ａ，２１ａは、左右方向に延びる下梁部１７ｃ，１９ｃ，２１ｃと、下梁部１７ｃ，１９ｃ，２１ｃの左右両端から上方に延びる一対の側柱部１７ｄ，１９ｄ，２１ｄと、これら一対の側柱部１７ｄ，１９ｄ，２１ｄの上端同士を接続する上梁部１７ｅ，１９ｅ，２１ｅとで構成されている。フロントフレーム部材１７の中梁部１７ｂは、リアフレーム部材２１及びミドルフレーム部材１９の中梁部１９ｂ，２１ｂよりも上方に位置するように設けられている。
【００３１】
これらフロントフレーム部材１７、リアフレーム部材１９及びミドルフレーム部材２１の下側部分、具体的には下梁部１７ｃ，１９ｃ，２１ｃと中梁部１７ｂ，１９ｂ，２１ｂとの間には、第１収納構造部３を設置するための略矩形状のロア開口１７ｆ，１９ｆ，２１ｆが形成されている。さらに、これら３つの縦フレーム部材１７，１９，２１のうち上梁部１７ｅ，１９ｅ，２１ｅと中梁部１７ｂ，１９ｂ，２１ｂとの間或いは中梁部１７ｂ，１９ｂ，２１ｂ同士の間には、略矩形状のアッパ開口１７ｇ，１９ｇ，２１ｇが形成されている。
【００３２】
そして、上記のフロントフレーム部材１７、リアフレーム部材１９及びミドルフレーム部材２１の下梁部１７ｃ，１９ｃ，２１ｃは、溶接などによってベースフレーム部材１１にそれぞれ固定されている。そのことにより、これら３つの縦フレーム部材１７，１９，２１は、ベースフレーム部材１１とアセンブリされて、ベースフレーム部材１１と共にフレーム構造体７を構成している。
【００３３】
＜外装カバー部の構成＞
外装カバー部９は、フロントカバー９ａと、一対のサイドカバー９ｂと、リアカバー９ｃとを備える。これらフロントカバー９ａ、各サイドカバー９ｂ及びリアカバー９ｃは、ポリプロピレン（ＰＰ）などの合成樹脂からなり、射出形成などによって成形される樹脂成形品である。
【００３４】
フロントカバー９ａは、フロントフレーム部材１７の前側に取り付けられて、コンソールボックス１の前面を構成する。フロントカバー９ａの下側には、フロントフレーム部材１７のロア開口１７ｆに対応する矩形状の引出口１０が設けられている。一対のサイドカバー９ｂは、フロントフレーム部材１７、リアフレーム部材１９及びミドルフレーム部材２１の各側柱部１７ｄ，１９ｄ，２１ｄを覆って、コンソールボックス１の左右の両側面を構成する。リアカバー９ｃは、リアフレーム部材１９の後側に取り付けられて、コンソールボックス１の後面を構成する。
【００３５】
＜第１収納構造部の構成＞
第１収納構造部３は、フレーム構造体７のアッパ開口１７ｇ，１９ｇ，２１ｇの前後方向に対応する箇所に設置される。この第１収納構造部３は、ボックス本体２３と、リッド部品２５と、カップホルダ２７とを備える。
【００３６】
図３に、ボックス本体２３の斜視図を示す。また、図４に、図３のIV−IV線におけるボックス本体２３の断面図を示す。ボックス本体２３は、ポリプロピレン（ＰＰ）等の樹脂からなり、射出成形などによって成形される樹脂成形品である。ボックス本体２３は、図３に示すように、上方に開口した概ね直方体ボックス状の第１収納部２９と、第１収納部２９の前方に位置するホルダ装着部３１と、フレーム構造体７に被せて固定されるフレーム固定部３３とを備える。
【００３７】
第１収納部２９は、図３及び図４に示すように、ミドルフレーム部材２１とリアフレーム部材１９との間に嵌め込まれる。この第１収納部２９のうち左右方向（第２方向）における両側面部３４の開口部側には、前後方向に延びる凸状部としての補強リブ３５が不規則な格子状に設けられている。補強リブ３５は、第１収納部２９の両側面部３４のうち上半部分の略全体に形成されていて、フレーム構造体７を前後方向に補強する支持材のような役割を果たす。それによって、コンソールボックス１は堅固な構造とされている。
【００３８】
ホルダ装着部３１は、上方に開口した凹状に形成されており、フロントフレーム部材１７とミドルフレーム部材２１との間に嵌め込まれている。フレーム固定部３３は、ホルダ装着部３１の前側でフロントフレーム部材１７の上梁部１７ｅに被せられるフロント固定部３７と、ホルダ装着部３１とボックス本体２３との間でミドルフレーム部材２１の上梁部２１ｅに被せられるミドル固定部３９と、ボックス本体２３の後側でリアフレーム部材１９の上梁部２１ｅに被せられるリア固定部４１とである。
【００３９】
リッド部品２５は、第１収納部２９の上部に取り付けられ、第１収納部２９の開口部を塞ぐ。このリッド部品２５の上面部には、両開きタイプの一対のリッド４３が観音開き可能に設けられている。これら一対のリッド４３は、閉じた状態でアームレストとして利用可能になっている。カップホルダ２７は、カップを保持する保持凹部２８を有しており、ボックス本体２３のホルダ装着部３１に上側から装着される。
【００４０】
＜第２収納構造部の構成＞
図５に、第２収納構造部５の分解斜視図を示す。また、図６に、図５のVI−VI線における引出箱体４７を収容した状態の断面図を示す。第２収納構造部５は、フレーム構造体７に対し、ロア開口１７ｆ，１９ｆ，２１ｆに通して設置されている。この第２収納構造部５は、図５及び図６に示すように、収容体４５と、引出箱体４７と、スライド補助機構４９と、ガイド機構５１とを備える。
【００４１】
収容体４５は、ポリプロピレン（ＰＰ）等の合成樹脂からなり、射出成形などによって成形される樹脂成形品である。この収容体４５は、前方に引出箱体４７を出し入れするための開口を有し、引出箱体４７の上面及び左右両側面を覆い且つ引出箱体４７が収容される内部空間を下方に向けて開放した概ね直方形のカバー状に形成されていて、引出箱体４７をスライド自在に収容するようになっている。
【００４２】
収容体４５の前方開口の下側には、左右方向に延びる板状支持部５３が設けられている。この板状支持部５３は、引き出し動作又は押し入れ動作によりスライドされる引出箱体４７を下側で支持する。また、収容体４５の前方開口の上側及び左右両側には、前後方向に臨むブラケット片５５が設けられている。収容体４５は、このブラケット片５５を複数箇所（例えば４箇所）でフロントフレーム部材１７にねじ留めすることにより、フレーム構造体７に固定される。
【００４３】
収容体４５の上面部５７の左右方向における中程には、外側に隆起した隆起部５９が設けられている。この隆起部５９は、収容体４５の上面部５７の後端から前方開口側の位置にまで前後方向に真っ直ぐ延びており、収容体４５の内側が凹んだアッパガイド凹部６１を構成している。さらに、収容体４５の上面部５７には、このアッパガイド凹部６１の前端位置で内方（下方）に突出した、後方に臨む面を有するストッパ６３が設けられている。ストッパ６３は、引出箱体４７の引き出し動作を所定の位置で規制する引出規制部である。
【００４４】
また、収容体４５の左右の両側壁部６４には、収容体４５の内方に凹んだ凹状部６５が設けられている。この凹状部６５は、収容体４５の前後方向における略全体に亘って前後方向に真っ直ぐ延びており、収容体４５の内方に突出したガイドレール部６７（後に参照する図１３に示す）を構成している。各凹状部６５の前端部分にはコロ６９が設けられている。コロ６９は、左右方向に延びる軸周りに回転自在に取り付けられている。このコロ６９の外周面のうち少なくとも上方に臨む部分は、収容体４５の内部に配置されている。
【００４５】
さらに、各凹状部６５において、コロ６９の直ぐ後側には、引出箱体４７を２方向に付勢する機能を有したスペーサ部材７１が取り付けられており、スペーサ部材７１の後側には、補強用の縦リブ７２が前後方向に間隔をあけて複数設けられている。スペーサ部材７１は、ポリアセタール（ＰＯＭ）などの合成樹脂からなり、射出成形などによって成形される樹脂成形品である。
【００４６】
図７に、スペーサ部材７１の斜視図を示す。スペーサ部材７１は、図７に示すように、中抜きされた直方体ブロックのような形状の本体部７３と、本体部７３の長さ方向における両側に設けられたブラケット片７５とで構成されている。このスペーサ部材７１の本体部７３は、左右方向において収容体４５の内方に臨む面を形成する第１板ばね片７７と、下方に臨む面を形成する第２板ばね片７９とを備える。
【００４７】
第１板ばね片７７は、収容体４５の幅方向における内方に向けて湾曲状に張り出した帯板形状を有し、引出箱体４７の幅方向における外側に臨む側面（後述する凹溝部９３の側面）に当接することにより、引出箱体４７を収容体４５の内方へ付勢する。第２板ばね片７９は、下方に向けて湾曲状に張り出した帯板形状を有し、引出箱体４７の上方に臨む側面（後述する凹溝部９３の下面）に当接することにより、引出箱体４７を収容体４５の内部で下方へ付勢する。
【００４８】
各ブラケット片７５は、左右方向に臨む板面を有する小片板状の部分である。それら各ブラケット片７５には留め孔７６が形成されている。スペーサ部材７１は、凹状部の側面部から下面部にかけての部分に設けられた図示しない開口を介して第１板ばね片７７と第２板ばね片７９を収容体４５の内部に臨ませた姿勢とし、その姿勢で各留め孔７６を挿通させた図示しないタッピングねじによって収容体４５の凹状部６５内にねじ留めされている。
【００４９】
引出箱体４７は、水平方向へのスライド動作により前後方向に引き出し及び押し入れ可能とされている。この引出箱体４７は、図５に示すように、上方に開口した矩形トレイ状の第２収納部８１と、第２収納部８１の前側に配置された前面パネル部８３とを備える。第２収納部８１の開口周縁には、外方に延びるフランジ片８５が設けられている。収容体４５のコロ６９は、収容体４５の内部でそのフランジ片８５の下面に当接して引出箱体４７を支持し、引出箱体４７のスライド動作に伴って転動されるようになっている。
【００５０】
フランジ片８５のうち後側の辺部分の左右方向における中程には、上方に突出したアッパガイド凸部８７が設けられている。このアッパガイド凸部８７は、収容体４５のアッパガイド凹部６１に嵌め入れられ、引出箱体４７の引き出し動作や押し入れ動作に伴いアッパガイド凹部６１に沿って移動する。引出箱体４７の引き出し動作は、引き出し方向へのスライド移動によりアッパガイド凸部８７がストッパ６３に当接した時点で規制される。
【００５１】
また、第２収納部８１の両側壁部８９の下部には、側方に突出したロアサイドガイド凸部９１が設けられている。ロアサイドガイド凸部９１は、フランジ片８５に沿って前後方向に真っ直ぐ延びており、収容体４５の前方開口の内側部分に設けられたロアサイドガイド凹部９２に嵌め入れられ、引出箱体４７の引き出し動作や押し入れ動作に伴いロアサイドガイド凹部９２に沿って移動する。
【００５２】
ガイド機構５１は、これらアッパガイド凹部６１及びそれに案内されるアッパガイド凸部８７と、ロアサイドガイド凸部９１及びそれに案内されるロアサイドガイド凹部９２と、収容体４５のコロ６９が転動されるフランジ片８５と、引出箱体４７に設けられた後述するコロ９７が転動されるガイドレール部６７とによって構成されており、引出箱体４７の引き出し時や押し入れ時におけるスライド移動を案内するようになっている。
【００５３】
このロアサイドガイド凸部９１とフランジ片８５との間には、引出箱体４７の内方に凹んだ凹溝部９３が設けられている。凹溝部９３は、引出箱体４７のスライド方向に沿う方向、つまり前後方向に真っ直ぐ延びている。この凹溝部９３内には、収容体４５のガイドレール部６７が進入する。ロアサイドガイド凸部９１は、第２収納部８１の後方に突出した突出部９５を有している。突出部９５にはコロ９７が設けられている。
【００５４】
コロ９７は、左右方向に延びる軸周りに回転自在に取り付けられている。このコロ９７の外周面のうち少なくとも上方に臨む部分は、ロアサイドガイド凸部９１の上面よりも上方に突出している。そして、コロ９７は、収容体４５のガイドレール部６７の下方に臨む下面を受け、引出箱体４７のスライド動作に伴ってそのガイドレール部６７の下面で転動自在とされている。
【００５５】
スライド補助機構４９は、ガイドレール部６７の下面で転動する、収容体４５に設けられたコロ６９と、フランジ片８５の下面で転動する、引出箱体４７に設けられたコロ９７とによって構成されており、これらコロ６９，９７の転動によって引出箱体４７の引き出し時や押し入れ時におけるスライド動作を比較的低い摩擦抵抗でスムーズに行えるようにしている。
【００５６】
また、引出箱体４７の左右両側にある凹溝部９３の側面には、対応するスペーサ部材７１の第１板ばね片７７が当接されて、その第１板ばね片７７による付勢力が作用する。また、それら各凹溝部９３の下面には、対応するスペーサ部材７１の第２板ばね片７９が当接されて、その第２板ばね片７９による付勢力が作用する。
【００５７】
すなわち、引出箱体４７は、収容体４５の左右両側に設けられたスペーサ部材７１により、第１板ばね片７７による付勢力を効かせた状態で挟み込まれながら、第２板ばね片７９の付勢力を以て下方に常時押し下げられた状態とされる。そうして、第２収納構造部５では、引出箱体４７の姿勢を維持し、引出箱体４７の収容体４５内でのがたつきを防止している。
【００５８】
スペーサ部材７１の第１板ばね片７７及び第２板ばね片７９は、引出箱体４７の引き出し動作や押し入れ動作に伴って凹溝部９３の内面（側面及び下面）を摺動する。引出箱体４７のうち第１板ばね片７７及び第２板ばね片７９が摺動する面は、引出箱体４７の引き出し動作と押し入れ動作が繰り返し行われることにより、細かい傷が付くため、それに起因して白化することが懸念される。しかし、本実施形態においてそうした白化が生じ得る面は、凹溝部９３の内面であるので、引出箱体４７を引き出した状態でも見えにくく、使用によって見栄えが損なわれるのを抑制できる。
【００５９】
図８に、第２収納構造部５を引出箱体４７の収容状態で下側から見た斜視図を示す。また、図９に、第２収納構造部５を引出箱体４７の引き出し状態で下側から見た斜視図を示す。引出箱体４７の引き出し方向における奥側の裏面には、図８に示すように、凸状部としての複数の補強リブ９９が設けられている。これら複数の補強リブ９９は、引出箱体４７の幅方向において互いに間隔をあけて配置されており、引出箱体４７のスライド方向に沿って前後方向に延びている。それによって、引出箱体４７の奥側の裏面を構成する部分の剛性が高められている。
【００６０】
引出箱体４７のうち補強リブ９９が設けられた奥側の部分は、図９に示すように、引出箱体４７を引き出し動作が規制される位置にまで引き出すと、収容体４５の板状支持部５３に対応する部分である。当該引出箱体４７の奥側部分は、引出箱体４７が引き出し動作の規制位置まで引き出された状態でその引き出した部分に上方から押し下げる方向への荷重がかかると、板状支持部５３に押し付けられるが、上記補強リブ９９による剛性を高める効果を以てその押圧力に耐え得るようになっており、引出箱体４７自体の破損を防止するのに適した構造とされている。
【００６１】
図１０に、引出箱体４７の前面パネル部８３の内部構造を前面カバー１０１を外して見たときの斜視図を示す。前面パネル部８３は、図１及び図１０に示すように、その前面を構成する前面カバー１０１と、操作用のハンドル１０３とを備える。前面カバー１０１の下半部分には、略矩形状の開口１０５が形成されている。ハンドル１０３は、支軸１０７を介して前面パネル部８３の内部に取り付けられて、支軸１０７周りに回転可能とされている。このハンドル１０３は、支軸１０７よりも下側に位置するレバー部１０９と、支軸１０７よりも後側に位置するフック部１１１とを備える。
【００６２】
レバー部１０９は、縦断面クランク状をなしている。具体的には、レバー部１０９は、前面カバー１０１の開口１０５から前方外部に臨む第１縦板部１１３と、第１縦板部１１３の上端縁から後方に延びる横板部１１５と、横板部１１５の後端から上方に延びる第２縦板部１１７とによって構成されている。こうした構成では、横板部１１５及び第２縦板部１１７が前面カバー１０１の裏側に隠れるので、レバー部１０９の外部に露出する部分を第１縦板部１１３だけとしてその露出面積を比較的小さくでき、引出箱体４７にスマートな印象が与えられる。
【００６３】
ハンドル１０３のフック部１１１は、上方に突出したロック用の爪片１１９を有している。ハンドル１０３は、トーションばね１２１によってレバー部１０９を支軸１０７周りに後方へ回転させる方向に常時付勢されている。そのため、ハンドル１０３が操作されない状態においては、フック部１１１の爪片１１９が前面パネル部８３の後側上部に形成された孔１２３に挿通されて、その孔１２３から上方に突出する。このとき、引出箱体４７が収容体４５に完全に収容されていると、ハンドル１０３のフック部１１１の爪片１１９は、フロントカバー９ａの引出口の内周縁部に設けられた図示しないロック孔に挿入されてロックされる。
【００６４】
図１１に、フレーム構造体７及び第１収納構造部３を引出箱体４７の引き出し状態で見たときの斜視図を示す。図１２に、図１１のXIIで囲んだ部分を角度を変えて見たときの要部拡大図を示す。図１３に、図１１のXIII−XIII線におけるコンソールボックス１の要部の断面図を示す。上述したコンソールボックス１では、図１１〜図１３に示すように、フレーム構造体７に対し、フロントフレーム部材１７とリアフレーム部材１９との間に横たわる仕切板１２５が設けられている。
【００６５】
この仕切板１２５は、鉄などからなる金属製の板体であって、フロントフレーム部材１７、リアフレーム部材１９及びミドルフレーム部材２１の上下方向における中程の部分、具体的には中梁部１７ｂ，１９ｂ，２１ｂの下端部分に溶接などによって固定されている。そして、仕切板１２５は、第１収納構造部３と第２収納構造部５との間に位置し、これら第１収納構造部３と第２収納構造部５とを仕切っている。この仕切板１２５は、引出箱体４７を引き出し動作が規制される位置まで引き出した状態において、第１収納構造部３と引出箱体４７の引き出し方向における奥側の端部との間に位置する。
【００６６】
仕切板１２５のうちストッパ６３によって引出箱体４７の引き出し動作が規制される位置で引出箱体４７の引き出し方向における奥側の端部が対応する部分には、左右方向に延びる段差部１２７が設けられている。仕切板１２５のうち段差部１２７よりも前側の部分は相対的に上側に位置し、仕切板１２５のうち段差部１２７よりも後側の部分は相対的に下側に位置している。さらに、仕切板１２５のうち段差部１２７からその後側にかけての部分には、前後方向に延びる上方に隆起した凸状部としての隆起部１２９が左右両側に設けられている。
【００６７】
第１収納構造部３の収容体４５と仕切板１２５との間の間隔は、図１３に示すように、収容体４５上面に隆起部５９が設けられた箇所で最も狭くなっている。すなわち、収容体４５上面の隆起部５９は、引出箱体４７のコロ９７の転動箇所に対応する部分よりも仕切板１２５側に突出した部分となっている。そして、収容体４５において引出箱体４７のコロ６９の転動箇所に対応する部分と仕切板１２５との間の間隔ｄ１は、コロ９７が破損し易いことに鑑み、収容体４５上面の隆起部５９と仕切板１２５との間隔ｄ２よりも広くなっており、引出箱体４７の奥側の端部が上方に向かって変位することを考慮してマージンを多くとってある。
【００６８】
−実施形態の効果−
この実施形態に係るコンソールボックス１によると、金属製の仕切板１２５をフレーム構造体７に固定し、この仕切板１２５によって引出箱体４７の一部を引き出した状態で第１収納構造部３と第２収納構造部５とを仕切るようにしたので、引出箱体４７の一部が引き出されて開いた状態で、乗員のイレギュラーな扱いによりその引出箱体４７の引き出した部分に対し上方から押し下げる方向への荷重がかかったとしても、引出箱体４７の奥側の端部が上方に向かって変位するのを収容体４５の上面部を介して金属製の仕切板１２５が当接することで規制する。それによって、引出箱体４７の奥側の端部が第１収納構造部３を含め周辺構成を強く押し上げるような挙動を採ることをなくし、引出箱体４７の周辺構成が破損するのを防止できる。
【００６９】
さらに、この実施形態に係るコンソールボックス１によると、仕切板１２５のうち引出箱体４７の引き出し動作が規制される位置で引出箱体４７の奥側の端部に対応する部分に段差部１２７と隆起部１２９とを設けるようにしたので、仕切板１２５のうち引出箱体４７の奥側の端部が上方に向かって変位したときに当接する部分の剛性をよりいっそう高めることができる。そのことで、引出箱体４７の奥側の端部が上方に変位することを以て押し上げる方向への押圧力が作用したときに仕切板が変形するのを抑制できる。これにより、引出箱体４７の回転による変位が引出箱体４７の周辺構成に与える影響を低減することができ、その結果、引出箱体４７の周辺構成が破損するのを防止できる。
【００７０】
また、この実施形態に係るコンソールボックス１によると、収容体４５のうち仕切板１２５に対応する上面部分に、コロ９７の転動箇所に対応する部分よりも仕切板１２５側に突出した隆起部５９を設け、収容体４５においてコロ９７の転動箇所に対応する部分と仕切板１２５との間の間隔ｄ１を収容体４５の隆起部５９と仕切板１２５との間隔ｄ２よりも広くするようにしたので、引出箱体４７の奥側の端部が上方に向かって変位したときに収容体４５を押し上げても、収容体４５は隆起部５９でコロ６９の転動箇所に対応する部分に先立って仕切板１２５に当接する。それによって、コロ６９が収容体４５がガイドレール部６７の下面（転動面）に強く押し付けられるのを回避できるため、引出箱体４７の奥側の端部が上方に変位することを以てコロ６９が破損するのを防止できる。
【００７１】
以上のように、ここに開示する技術の例示として、好ましい実施形態について説明した。しかし、ここに開示する技術は、これに限定されず、適宜、変更、置き換え、付加、省略などを行った実施の形態にも適用可能である。また、上記実施形態で説明した各構成要素を組み合わせて新たな実施の形態とすることも可能である。また、添付図面及び詳細な説明に記載された構成要素の中には、課題解決のためには必須でない構成要素も含まれ得る。そのため、それらの必須でない構成要素が添付図面や詳細な説明に記載されていることを以て、直ちにそれらの必須でない構成要素が必須であるとの認定をするべきではない。
【００７２】
例えば、上記実施形態について、以下のような構成としてもよい。
【００７３】
上記実施形態では、仕切板１２５は金属製であるとしたが、これに限らない。仕切板１２５を金属製とすることは一例に過ぎず、仕切板１２５の剛性を十分に確保できるものであれば、ガラス繊維入りナイロン（Ｎｙ−ＧＦ）やガラス繊維入りポリプロピレン（ＰＰ−ＧＦ）、炭素繊維入りポリプロピレン（ＰＰ−ＣＦ）などの繊維補強材を含有する繊維強化プラスチックを仕切板１２５の材料として採用してもよい。
【００７４】
また、上記実施形態では、仕切板１２５に隆起部１２９が設けられているとしたが、これに限らない。例えば、上述したように仕切板１２５を繊維強化プラスチックなどの樹脂製とする場合には、隆起部１２９に代えて、前後方向に延びる突条板形の補強リブが設けられていてもよい。このように、仕切板１２５のうち引出箱体４７の引き出し動作が規制される位置で引出箱体４７の奥側の端部に対応する部分には、剛性を高めて仕切板１２５の変形を抑制する観点から、引出箱体４７のスライド方向に沿って延びる凸状部が設けられていることが好ましい。
【００７５】
また、上記実施形態では、仕切板１２５が第１収納構造部３と第２収納構造部５との間に位置するとしたが、これに限らない。仕切板１２５は、収容体４５の内部で引出箱体４７の上方に位置していても構わない。要は、仕切板１２５は、引出箱体４７の一部を引き出した状態で、第１収納構造部３と引出箱体４７との間に位置し、引出箱体４７の引き出し方向における奥側の端部が上方に向かって変位するのを規制するように設けられていればよい。
【００７６】
また、上記実施形態では、仕切板１２５に前後方向に延びる段差部１２７が一体に設けられているとしたが、これに限らない。当該段差部１２７は、仕切板１２５とは別体の部品が仕切板１２５に溶接などの手法で接合されることにより設けられていてもよい。また、当該段差部１２７は、引出箱体４７のスライド方向と交差する方向であれば、前後方向及び左右方向に対して斜め方向に延びていてもよい。
【００７７】
また、上記実施形態では、引出箱体４７の奥側の裏面に前後方向に真っ直ぐ延びる補強リブ９９が設けられているとしたが、これに限らない。当該補強リブ９９は、前後方向に対して傾斜していてもよいし、湾曲したり蛇行したりしていても構わない。また、当該補強リブ９９に代えて、第２収納部８１側を中空とした隆起部などが設けられていてもよい。このように、引出箱体４７の奥側の裏面には、引出箱体４７の奥側の部分の剛性を高めて破損を防止する観点から、引出箱体４７のスライド方向に沿って延びる凸状部が設けられていることが好ましい。
【００７８】
また、上記実施形態では、ボックス本体２３の第１収納部２９のうち左右の側面部３４の開口部側に格子状の補強リブ３５が設けられているとしたが、これに限らない。例えば、補強リブ３５に代えて、当該第１収納部２９の左右の側面部３４の開口部側に前後方向の全体に亘って延びる外方に突出した厚肉部や第１収納部２９側を中空とした隆起部が設けられていてもよい。このように、当該第１収納部２９の側面部３４には、フレーム構造体７を補強してコンソールボックス１を堅固な構造とする観点から、隣り合う縦フレーム部材１３の間を前後方向に延びる凸状部が設けられていることが好ましい。
【００７９】
また、上記実施形態では、収容体４５に２方向への付勢機能を有するスペーサ部材７１が用いられた形態を例示したが、これに限らない。例えば、スペーサ部材７１に代えて、引出箱体４７を左右方向において収容体４５の内方に付勢する板ばね片を備えた第１スペーサ部材と、引出箱体４７を下方に付勢する板ばね片を備えた第２スペーサ部材とが設けられていてもよい。
【００８０】
また、上記実施形態では、コンソールボックス１がセパレートタイプの左右の後部座席の間に設置されることを述べたが、これに限らない。本発明は、車両前部にある運転席と助手席との間に設置されるコンソールボックスにも勿論適用することが可能である。
【産業上の利用可能性】
【００８１】
以上説明したように、本発明は、自動車の室内に設置されるコンソールボックスについて有用である。
【符号の説明】
【００８２】
１…コンソールボックス、３…第１収納構造部、５…第２収納構造部、
７…フレーム構造体、９…外装カバー部、９ａ…フロントカバー、
９ｂ…サイドカバー、９ｃ…リアカバー、１０…引出口、１１…ベースフレーム部材、
１３…縦フレーム部材、１５…ブラケット片、１７…フロントフレーム部材、
１９…リアフレーム部材、２１…ミドルフレーム部材、
１７ａ，１９ａ，２１ａ…外枠部、１７ｂ，１９ｂ，２１ｂ…中梁部、
１７ｃ，１９ｃ，２１ｃ…下梁部、１７ｄ，１９ｄ，２１ｄ…側柱部、
１７ｅ，１９ｅ，２１ｅ…上梁部、１７ｆ，１９ｆ，２１ｆ…ロア開口、
１７ｇ，１９ｇ，２１ｇ…アッパ開口、２３ボックス本体、２５…リッド部品、
２７…カップホルダ、２９…第１収納部、３１…ホルダ装着部、
３３…フレーム固定部、３４…側面部、３５…補強リブ（凸状部）、
３７…フロント固定部、３９…ミドル固定部、４１…リア固定部、４３…リッド、
４５…収容体、４７…引出箱体、４９…スライド補助機構、５１…ガイド機構、
５３…板状支持部、５５…ブラケット片、５７…上面部、５９…隆起部、
６１…アッパガイド凹部、６３…ストッパ、６３…側壁部、６５…凹状部、
６７…ガイドレール部、６９…コロ、７１…スペーサ部材、７２…縦リブ、
７３…本体部、７５…ブラケット片、７６…留め孔、７７…第１板ばね片、
７９…第２板ばね片、８１…第２収納部、８３…前面パネル部、８５…フランジ片、
８７…アッパガイド凸部、８９…側壁部、９１…ロアサイドガイド凸部、
９２…ロアサイドガイド凹部、９３…凹溝部、９５…突出部、
９９…補強リブ（凸状部）、１０１…前面カバー、１０３…ハンドル、１０５…開口、
１０７…支軸、１０９…レバー部、１１１…フック部、１１３…第１縦板部、
１１５…横板部、１１７…第２縦板部、１１９…爪片、１２１…トーションばね、
１２３…孔、１２５…仕切板、１２７…段差部、１２９…隆起部（凸状部）
【図１】
2018016275.tif 000003
【図２】
2018016275.tif 000004
【図３】
2018016275.tif 000005
【図４】
2018016275.tif 000006
【図５】
2018016275.tif 000007
【図６】
2018016275.tif 000008
【図７】
2018016275.tif 000009
【図８】
2018016275.tif 000010
【図９】
2018016275.tif 000011
【図１０】
2018016275.tif 000012
【図１１】
2018016275.tif 000013
【図１２】
2018016275.tif 000014
【図１３】
2018016275.tif 000015